(57)【要約】【解決手段】無線通信用の遠隔局が開示される。この遠隔局は、アップリンクチャネルでパケットデータを送信するように構成された送信機と、受信機とを含んでいる。受信機は、ダウンリンク専用物理チャネルを有する第１のフレームと、基地局によって受信されるパケットデータに応答するダウンリンク専用制御チャネルを有する第２のフレームとを受信するように構成されている。第１のフレームは、共通制御物理チャネルに基づく基準タイミングに対する第１の時間オフセットと第１の伝搬遅延とによって定義される。第２のフレームの開始は、基準タイミングからの第２の時間オフセットと第２の伝搬遅延とによって定義される。第２の時間オフセットは、第１の時間オフセットの関数である。【選択図】      図６
2008529320.tif 000002
【特許請求の範囲】
【請求項１】
無線通信用の遠隔局であって、
パケットデータをアップリンクチャネルで送信するように構成された送信機と、
共通制御物理チャネルに基づく基準タイミングに対する第１の時間オフセットと、第１の伝搬遅延とによって定義され、ダウンリンク専用物理チャネルを有する第１のフレームを受信し、基地局によって受信されたパケットデータに応答するダウンリンク専用制御チャネルを有する第２のフレームを受信するように構成された受信機とを備え、
前記第２のフレームの開始は、前記基準タイミングからの第２の時間オフセットと、第２の伝搬遅延とによって定義され、前記第２の時間オフセットは、前記第１の時間オフセットの関数である遠隔局。
【請求項２】
前記第２の時間オフセットは、ｋが変数、Ｔｅｃ及びτｅｃ０が共に定数である場合、式τｅｃ＝τｅｃ０＋ｋ（Ｔｅｃ）によって定義される請求項１の遠隔局。
【請求項３】
前記変数ｋは、前記第１の時間オフセットであるτｄｐｃｈの関数である請求項２の遠隔局。
【請求項４】
【数１】
2008529320.tif 000010
である請求項３の遠隔局。
【請求項５】
無線通信システム用の装置であって、
遠隔局からアップリンクチャネルでパケットデータを受信し、
共通制御物理チャネルに基づく基準タイミングに対する第１の時間オフセットによって定義され、ダウンリンク専用物理チャネルを有する第１のフレームを生成し、
前記受信したパケットデータに応答するダウンリンク専用制御チャネルを有する第２のフレームを生成する
ように構成された制御プロセッサを備え、
第２のフレームの開始は、前記基準タイミングからの第２の時間オフセットによって定義され、前記第２の時間オフセットは、前記第１の時間オフセットの関数である装置。
【請求項６】
前記第２の時間オフセットは、ｋが変数、Ｔｅｃ及びτｅｃ０が共に定数である場合、式τｅｃ＝τｅｃ０＋ｋ（Ｔｅｃ）によって定義される請求項５の装置。
【請求項７】
前記変数ｋは、前記第１の時間オフセットであるτｄｐｃｈの関数である請求項６の装置。
【請求項８】
【数２】
2008529320.tif 000011
である請求項７の装置。
【請求項９】
無線通信用の遠隔局を操作する方法であって、
パケットデータをアップリンクチャネルで送信することと、
共通制御物理チャネルに基づく基準タイミングに対する第１の時間オフセットと、第１の伝搬遅延とによって定義され、ダウンリンク専用物理チャネルを有する第１のフレームを受信することと、
基地局によって受信されたパケットデータに応答するダウンリンク専用制御チャネルを有する第２のフレームを受信することとを含み、
前記第２のフレームの開始は、前記基準タイミングからの第２の時間オフセットと、第２の伝搬遅延とによって定義され、前記第２の時間オフセットは、前記第１の時間オフセットの関数である方法。
【請求項１０】
前記第２の時間オフセットは、ｋが変数、Ｔｅｃ及びτｅｃ０が共に定数である場合、式τｅｃ＝τｅｃ０＋ｋ（Ｔｅｃ）によって定義される請求項９の方法。
【請求項１１】
前記変数ｋは、前記第１の時間オフセットであるτｄｐｃｈの関数である請求項１０の方法。
【請求項１２】
【数３】
2008529320.tif 000012
である請求項１１の方法。
【請求項１３】
無線通信システム用の装置を操作する方法であって、
遠隔局からアップリンクチャネルでパケットデータを受信することと、
共通制御物理チャネルに基づく基準タイミングに対する第１の時間オフセットによって定義され、ダウンリンク専用物理チャネルを有する第１のフレームを生成することと、
前記受信したパケットデータに応答するダウンリンク専用制御チャネルを有する第２のフレームを生成することとを含み、
前記第２のフレームの開始は、前記基準タイミングからの第２の時間オフセットによって定義され、前記第２の時間オフセットは、前記第１の時間オフセットの関数である方法。
【請求項１４】
前記第２の時間オフセットは、ｋが変数、Ｔｅｃ及びτｅｃ０が共に定数である場合、式τｅｃ＝τｅｃ０＋ｋ（Ｔｅｃ）によって定義される請求項１３の方法。
【請求項１５】
前記変数ｋは、前記第１の時間オフセットであるτｄｐｃｈの関数である請求項１４の方法。
【請求項１６】
【数４】
2008529320.tif 000013
である請求項１５の方法。
【請求項１７】
計算機によって実行されると、前記計算機に動作を実行させる命令を含む計算機読取可能媒体であって、前記動作は、
パケットデータをアップリンクチャネルで送信することと、
共通制御物理チャネルに基づく基準タイミングに対する第１の時間オフセットと、第１の伝搬遅延とによって定義され、ダウンリンク専用物理チャネルを有する第１のフレームを受信することと、
基地局によって受信されたパケットデータに応答するダウンリンク専用制御チャネルを有する第２のフレームを受信することとを含み、
前記第２のフレームの開始は、前記基準タイミングからの第２の時間オフセットと、第２の伝搬遅延とによって定義され、前記第２の時間オフセットは、前記第１の時間オフセットの関数である計算機読取可能媒体。
【請求項１８】
無線通信用の遠隔局であって、
パケットデータをアップリンクチャネルで送信する手段と、
共通制御物理チャネルに基づく基準タイミングに対する第１の時間オフセットと、第１の伝搬遅延とによって定義され、ダウンリンク専用物理チャネルを有する第１のフレームを受信する手段と、
基地局によって受信されたパケットデータに応答するダウンリンク専用制御チャネルを有する第２のフレームを受信する手段とを備え、
前記第２のフレームの開始は、前記基準タイミングからの第２の時間オフセットと、第２の伝搬遅延とによって定義され、前記第２の時間オフセットは、前記第１の時間オフセットの関数である遠隔局。
【請求項１９】
前記第２の時間オフセットは、ｋが変数、Ｔｅｃ及びτｅｃ０が共に定数である場合、式τｅｃ＝τｅｃ０＋ｋ（Ｔｅｃ）によって定義される請求項１８の遠隔局。
【請求項２０】
前記変数ｋは、前記第１の時間オフセットであるτｄｐｃｈの関数である請求項１９の遠隔局。
【請求項２１】
【数５】
2008529320.tif 000014
である請求項２０の遠隔局。
【請求項２２】
無線通信システム用の装置であって、
遠隔局からアップリンクチャネルでパケットデータを受信する手段と、
共通制御物理チャネルに基づく基準タイミングに対する第１の時間オフセットによって定義され、ダウンリンク専用物理チャネルを有する第１のフレームを生成する手段と、
前記受信したパケットデータに応答するダウンリンク専用制御チャネルを有する第２のフレームを生成する手段とを備え、
前記第２のフレームの開始は、前記基準タイミングからの第２の時間オフセットによって定義され、前記第２の時間オフセットは、前記第１の時間オフセットの関数である装置。
【請求項２３】
前記第２の時間オフセットは、ｋが変数、Ｔｅｃ及びτｅｃ０が共に定数である場合、式τｅｃ＝τｅｃ０＋ｋ（Ｔｅｃ）によって定義される請求項２２の装置。
【請求項２４】
前記変数ｋは、前記第１の時間オフセットであるτｄｐｃｈの関数である請求項２３の装置。
【請求項２５】
【数６】
2008529320.tif 000015
である請求項２４の装置。
【請求項２６】
計算機によって実行されると、前記計算機に動作を実行させる命令を含む計算機読取可能媒体であって、前記動作は、
遠隔局からアップリンクチャネルでパケットデータを受信することと、
共通制御物理チャネルに基づく基準タイミングに対する第１の時間オフセットによって定義され、ダウンリンク専用物理チャネルを有する第１のフレームを生成することと、
前記受信したパケットデータに応答するダウンリンク専用制御チャネルを有する第２のフレームを生成することとを含み、
前記第２のフレームの開始は、前記基準タイミングからの第２の時間オフセットによって定義され、前記第２の時間オフセットは、前記第１の時間オフセットの関数である計算機読取可能媒体。
【発明の詳細な説明】
【技術分野】
【０００１】
本発明は、一般に、無線通信に関し、特に、セルラ無線通信に関する。
【背景技術】
【０００２】
通信分野は、例えばページング、無線ローカルループ、インターネット電話、及び衛星通信システムを含む多くの用途を有する。典型的な用途は、移動加入者用のセルラ電話システムである。（本明細書で使用される用語「セルラ」システムは、セルラ通信サービスシステム周波数と、パーソナル通信サービスシステム（ＰＣＳ）周波数との両方を含む。）多数のユーザが、共通の通信媒体にアクセスできるように設計された例えば無線通信システムのような現代の通信システムは、そのようなセルラシステムのために開発された。これら現代の通信システムは、符号分割多元接続（ＣＤＭＡ）、時分割多元接続（ＴＤＭＡ）、周波数分割多元接続（ＦＤＭＡ）、空間分割多元接続（ＳＤＭＡ）、分極分割多元接続（ＰＤＭＡ）あるいは当該技術における既知の他の変調技術のような多元接続技術に基づきうる。これらの変調技術は、通信システムの多数のユーザから受信された信号を復調し、それによって、通信システムの容量の増加を可能にする。その上、例えば先進移動電話サービス（ＡＭＰＳ）、グローバルシステムフォーモバイルコミュニケーション（ＧＳＭ）、及びその他の無線システムを含む様々な無線通信システムが確立された。
【０００３】
ＦＤＭＡシステムでは、周波数スペクトルの全体が、多くの小さなサブ帯域に分割され、各ユーザは、通信媒体にアクセスするためにそれ自身のサブ帯域が与えられる。あるいは、ＴＤＭＡシステムでは、周波数スペクトルの全体が多くの小さなサブ帯域に分割される。各サブ帯域は、多くのユーザで共有され、各ユーザは、そのサブ帯域を用いて、予め定めた時間スロットで送信することが許される。ＣＤＭＡシステムは、増加したシステム容量を含め、他のタイプのシステムに対する潜在的な長所を備えている。ＣＤＭＡシステムでは、ユーザはそれぞれ、全時間について、周波数スペクトル全体が与えられるが、ユニークな符号を使用することによって、その送信を識別する。
【０００４】
ＣＤＭＡシステムは、（１）"TIA/EIA-95-B Mobile Station-Base Station Compatibility Standard for Dual-Mode Wideband Spread Spectrum Cellular System"（ＩＳ−９５規格）、（２）「第３世代パートナシップ計画」（３ＧＰＰ）と命名されたコンソーシアムによって提案され、文書番号3G TS 25.211、3G TS 25.212、3G TS 25.213、及び3G TS 25.214を含む１セットの文書で具体化された規格（Ｗ−ＣＤＭＡ規格）、及び（３）「第３世代パートナシップ計画２」（３ＧＰＰ２）と命名されたコンソーシアムによって提案され、ｃｄｍａ２０００拡散スペクトルシステムのためのＴＲ−４５．５物理レイヤ規格で具体化された規格（ＩＳ−２０００規格）のような１又は複数のＣＤＭＡ規格をサポートするように設計されうる。
【０００５】
上記命名されたＣＤＭＡ通信システム及び規格では、利用可能なスペクトルは、多くのユーザで同時に共有される。また、適切な技術が、例えば音声サービス及びデータサービスのようなサービスを提供するために利用可能である。
【０００６】
システムは、ダウンリンクとアップリンクとの両方の方向で、高速データサービスを提供するために提案された。そのような１つのアップリンク高速データサービスは、ＥＵＬ（Enhanced Uplink）として知られている。ここでは、遠隔局は、高速パケットデータを基地局へアップリンクチャネルで送る。基地局は、受信したパケットデータを正しく復号する能力に基づいて、ＡＣＫ信号又はＮＡＫ信号を遠隔局を送り戻す。例えば、受信されたパケットデータが正しく復号された場合、ＡＣＫ信号は、遠隔局へ送信される。あるいは、受信されたパケットデータが、正しく復号されなかった場合、又はパケットデータが受信されない場合には、ＮＡＫ信号が遠隔局へ送信される。ＮＡＫ信号が遠隔局によって受信された場合、遠隔局は、パケットデータを再送信しうる。
【０００７】
必要なものは、基地局へのアップリンクチャネルによるパケットデータ送信、及び基地局による遠隔局へのアクノレッジメントに関連する往復処理時間を最小化するスキームである。
【発明の開示】
【０００８】
本特許出願は、本明細書の譲受人に譲渡され、本明細書に参照によって明確に組み込まれている、２００４年１１月１０日に出願され、"Method and Apparatus For Deriving Transmission Timing of Downlink Control Channels in Support of Enhanced Uplink Operation"と題された仮出願60/627,048号の優先権を主張する。
【０００９】
１つの局面では、無線通信用の遠隔局が開示される。この遠隔局は、アップリンクチャネルでパケットデータを送信するように構成された送信機と、受信機とを含んでいる。受信機は、ダウンリンク専用物理チャネルを有する第１のフレームと、基地局によって受信されるパケットデータに応答するダウンリンク専用制御チャネルを有する第２のフレームとを受信するように構成されている。第１のフレームは、共通制御物理チャネルに基づく基準タイミングに対する第１の時間オフセットと第１の伝搬遅延とによって定義される。第２のフレームの開始は、基準タイミングからの第２の時間オフセットと第２の伝搬遅延とによって定義される。第２の時間オフセットは、第１の時間オフセットの関数である。
【００１０】
別の局面では、無線通信システム用の装置が開示される。この装置は、遠隔局からアップリンクチャネルでパケットデータを受信し、ダウンリンク専用物理チャネルを有する第１のフレームを生成し、受信したパケットデータに応答するダウンリンク専用制御チャネルを有する第２のフレームを生成するように構成された制御プロセッサを含む。ここで、第１のフレームは、共通制御物理チャネルに基づく基準タイミングに対する第１の時間オフセットによって定義される。第２のフレームの開始は、基準タイミングからの第２の時間オフセットによって定義される。第２の時間オフセットは、第１の時間オフセットの関数である。
【００１１】
また別の局面では、無線通信用の遠隔局を操作する方法が開示される。この方法は、パケットデータをアップリンクチャネルで送信することと、ダウンリンク専用物理チャネルを有する第１のフレームを受信することと、基地局によって受信されたパケットデータに応答するダウンリンク専用制御チャネルを有する第２のフレームを受信することとを含む。ここで、第１のフレームは、共通制御物理チャネルに基づく基準タイミングに対する第１の時間オフセットと、第１の伝搬遅延とによって定義される。第２のフレームの開始は、基準タイミングからの第２の時間オフセットと、第２の伝搬遅延とによって定義される。第２の時間オフセットは、第１の時間オフセットの関数である。
【００１２】
また別の局面では、無線通信システム用の装置を操作する方法が開示される。この方法は、遠隔局からアップリンクチャネルでパケットデータを受信することと、ダウンリンク専用物理チャネルを有する第１のフレームを生成することと、受信したパケットデータに応答するダウンリンク専用制御チャネルを有する第２のフレームを生成することとを含む。ここで、第１のフレームは、共通制御物理チャネルに基づく基準タイミングに対する第１の時間オフセットによって定義される。第２のフレームの開始は、基準タイミングからの第２の時間オフセットによって定義される。第２の時間オフセットは、第１の時間オフセットの関数である。
【００１３】
また別の局面では、計算機によって実行されると、計算機に動作を実行させる命令を含む計算機読取可能媒体が開示される。この動作は、パケットデータをアップリンクチャネルで送信することと、ダウンリンク専用物理チャネルを有する第１のフレームを受信することと、基地局によって受信されたパケットデータに応答するダウンリンク専用制御チャネルを有する第２のフレームを受信することとを含む。ここで、第１のフレームは、共通制御物理チャネルに基づく基準タイミングに対する第１の時間オフセットと、第１の伝搬遅延とによって定義される。第２のフレームの開始は、基準タイミングからの第２の時間オフセットと、第２の伝搬遅延とによって定義される。第２の時間オフセットは、第１の時間オフセットの関数である。
【００１４】
また別の局面では、無線通信用の遠隔局が開示される。この遠隔局は、パケットデータをアップリンクチャネルで送信する手段と、ダウンリンク専用物理チャネルを有する第１のフレームを受信する手段と、基地局によって受信されたパケットデータに応答するダウンリンク専用制御チャネルを有する第２のフレームを受信する手段とを備える。ここで、第１のフレームは、共通制御物理チャネルに基づく基準タイミングに対する第１の時間オフセットと、第１の伝搬遅延とによって定義される。第２のフレームの開始は、基準タイミングからの第２の時間オフセットと、第２の伝搬遅延とによって定義される。第２の時間オフセットは、第１の時間オフセットの関数である。
【００１５】
また別の局面では、無線通信システム用の装置が開示される。この装置は、遠隔局からアップリンクチャネルでパケットデータを受信する手段と、ダウンリンク専用物理チャネルを有する第１のフレームを生成する手段と、受信したパケットデータに応答するダウンリンク専用制御チャネルを有する第２のフレームを生成する手段とを備える。ここで、第１のフレームは、共通制御物理チャネルに基づく基準タイミングに対する第１の時間オフセットによって定義される。第２のフレームの開始は、基準タイミングからの第２の時間オフセットによって定義される。第２の時間オフセットは、第１の時間オフセットの関数である。
【００１６】
また別の局面では、計算機によって実行されると、計算機に動作を実行させる命令を含む計算機読取可能媒体が開示される。この動作は、遠隔局からアップリンクチャネルでパケットデータを受信することと、ダウンリンク専用物理チャネルを有する第１のフレームを生成することと、受信したパケットデータに応答するダウンリンク専用制御チャネルを有する第２のフレームを生成することとを含む。ここで、第１のフレームは、共通制御物理チャネルに基づく基準タイミングに対する第１の時間オフセットによって定義される。第２のフレームの開始は、基準タイミングからの第２の時間オフセットによって定義される。第２の時間オフセットは、第１の時間オフセットの関数である。
【発明を実施するための最良の形態】
【００１７】
用語「典型的」（exemplary）は、本明細書において「例、実例、又は例示として役立つ」ことを意味するために使用される。本明細書で「典型的」と記載される何れの実施形態も、他の実施形態に対して必ずしも好適であるとか有利であるとか解釈される必要はない。
【００１８】
アクセス端末（ＡＴ）、ユーザ機器、あるいは加入者ユニットとしても知られている遠隔局は、移動式又は固定式であり、基地トランシーバ局（ＢＴＳ）又はノードＢとして知られている１又は複数の基地局と通信しうる。遠隔局は、ラジオネットワークコントローラ（ＲＮＣ）としても知られている基地局コントローラとの間で、１又は複数の基地局を介してデータパケットを送受信する。基地局及び基地局コントローラは、アクセスネットワークと呼ばれるネットワークの一部である。アクセスネットワークは、多数の遠隔局間とデータパケットを伝送する。アクセスネットワークは、更に、例えば企業イントラネット又はインターネットのようなアクセスネットワーク外部の追加ネットワークに接続され、各遠隔局及びそのような外部ネットワーク間でデータパケットを伝送する。１又は複数の基地局とのアクティブなトラフィックチャネル接続を確立した遠隔局は、アクティブ遠隔局と呼ばれ、トラフィック状態にあると言われる。１又は複数の基地局とのアクティブなトラフィックチャネル接続を確立する過程にある遠隔局は、接続セットアップ状態にあると言われる。遠隔局は、無線チャネルを介して通信するあらゆるデータデバイスでありうる。更に、遠隔局は、限定される訳ではないが、ＰＣカード、コンパクトフラッシュ（登録商標）、外部又は内部モデム、あるいは無線電話を含む多くの任意のタイプのデバイスでありうる。遠隔局が基地局へ信号を送る通信リンクは、逆方向リンクとしても知られているアップリンクと呼ばれる。基地局が遠隔局へ信号を送る通信リンクは、順方向リンクとしても知られているダウンリリンクと呼ばれる。
【００１９】
図１に示すように、典型的な無線通信システム１００は、１又は複数の遠隔局（ＲＳ）１０２、１又は複数の基地局（ＢＳ）１０４、１又は複数の基地局コントローラ（ＢＳＣ）１０６、及びコアネットワーク１０８を含んでいる。コアネットワークは、適切なバックホールを経由して、インターネット１１０及び公衆交換電話網（ＰＳＴＮ）１１２に接続されうる。無線通信システム１００は、符号分割多元接続（ＣＤＭＡ）、時分割多元接続（ＴＤＭＡ）、周波数分割多元接続（ＦＤＭＡ）、空間分割多元接続（ＳＤＭＡ）、分極分割多元接続（ＰＤＭＡ）、あるいは当該技術で周知のその他の変調技術のような多くの多元接続技術のうちの任意の１つを適用しうる。
【００２０】
図２Ａ及び図６に示すように、１つの実施形態では、遠隔局１０２は、パケットデータ６００をアップリンクチャネルで送信するように構成された送信機２００と、受信機２０４とを含む。受信機２０４は、ダウンリンク専用物理チャネルを有する第１のフレーム６２４と、第２のフレーム６１４とを受信するように構成されている。第１のフレーム６２４は、共通制御物理チャネル６０６に基づく基準タイミング６０８に対する第１の時間オフセット６２０と第１の伝搬遅延６２３とによって定義される。第２のフレーム６１４は、基地局によって受信されるパケットデータに応答するダウンリンク専用制御チャネルを有する。第２のフレーム６１４の開始は、基準タイミング６０８からの第２の時間オフセット６１０と第２の伝搬遅延６１３とによって定義される。第２の時間オフセット６１０は、第１の時間オフセット６２０の関数である。１つの実施形態では、第１のフレーム６２４に含まれるダウンリンク専用物理チャネル（ＤＰＣＨ）は、ダウンリンク専用物理データチャンネル（ＤＰＤＣＨ）でありうる。共通制御物理チャネル６０６は、プライマリ共通制御物理チャンネル（Ｐ−ＣＣＰＣＨ）でありうる。第２のフレーム６１４に含まれるダウンリンク専用制御チャネルは、Ｅ−ＤＣＨ（Enhanced Dedicated Channel）ハイブリッドＡＲＱインジケータチャネル（Ｅ−ＨＩＣＨ）でありうる。これら全ては図６に示されている。代替実施形態では、共通制御物理チャネル６０６は、共通パイロットチャネル（ＣＰＩＣＨ：Common Pilot Channel）でありうる。そして、第２のフレーム６１４に含まれるダウンリンク専用制御チャネルは、Ｅ−ＤＣＨ相対許可チャネル（Ｅ−ＲＧＣＨ：E-DCH Relative Grant Channel）でありうる。第１及び第２の伝播遅延６２３，６１３は、一般に、同じ遅延かもしれない。
【００２１】
図２に引き続き示すように、遠隔局１０２は、制御プロセッサ２０２、変調器２０６、復調器２０８、及びアンテナ２１０を含んでいる。これらの機能は、当該技術で周知である。
【００２２】
図６に引き続き示すように、１つの実施形態では、第１の時間オフセット６２０は、τｄｐｃｈでありうる。また、第２の時間オフセット６１０は、τｅｃでありうる。
【００２３】
図３及び図６に示すように、１つの実施形態では、無線通信システム用の装置１０４は、遠隔局からアップリンクチャネルでパケットデータ６０２を受信し、ダウンリンク専用物理チャネルを有する第１のフレーム６１８を生成し、受信したパケットデータに応答するダウンリンク専用制御チャネルを有する第２のフレーム６１２を生成するように構成された制御プロセッサ３０２を含む。ここで、第１のフレーム６１８は、共通制御物理チャネル６０６に基づく基準タイミング６０８に対する第１の時間オフセット６２０によって定義される。第２のフレーム６１２の開始は、基準タイミング６０８からの第２の時間オフセット６１０によって定義される。第２の時間オフセット６１０は、第１の時間オフセット６２０の関数である。
【００２４】
１つの実施形態では、第１のフレーム６１８に含まれるダウンリンク専用物理チャネル（ＤＰＣＨ）は、ダウンリンク専用物理データチャンネル（ＤＰＤＣＨ）でありうる。共通制御物理チャネル６０６は、プライマリ共通制御物理チャンネル（Ｐ−ＣＣＰＣＨ）でありうる。第２のフレーム６１２に含まれるダウンリンク専用制御チャネルは、Ｅ−ＤＣＨ（Enhanced Dedicated Channel）ハイブリッドＡＲＱインジケータチャネル（Ｅ−ＨＩＣＨ）でありうる。これら全ては図６に示されている。代替実施形態では、共通制御物理チャネル６０６は、共通パイロットチャンネル（ＣＰＩＣＨ）でありうる。第２のフレーム６１２に含まれるダウンリンク専用制御チャネルは、Ｅ−ＤＣＨ相対許可チャネル（Ｅ−ＲＧＣＨ）でありうる。
【００２５】
引き続き図３に示すように、装置１０４は、変調器３０６、図１に示すＢＳＣ１０６のようなＢＳＣと通信するインタフェース３０８、送信機３００、受信機３０４、復調器３１０、及びアンテナ３１２を含む。これらの機能は、当該技術において周知である。１つの実施形態では、装置１０４は基地局である。代替実施形態では、装置１０４は、基地局コントローラである。その場合、インタフェース３０８が、コアネットワークと通信し、アンテナ３１２が、基地局に接続された有線と置き換えられうる。１つの実施形態では、無線通信システム用の遠隔局又は装置のうちの何れかにおける送信機は、図示するように個別のコンポーネットでありうる。別の実施形態では、無線通信システム用の遠隔局又は装置のうちの何れかにおける送信機及び受信機は、一般に「トランシーバ」と称される単一のコンポーネントでありうる。
【００２６】
図４には、本発明の１つの実施形態に従った無線通信用の遠隔局を操作する方法又は処理４００のフロー図が示される。ここでは、処理４００は、例えば図２に示す遠隔局１０２の制御プロセッサ２０２のような遠隔局の他のコンポーネントと協働する制御プロセッサによって実行されうる。４０２では、例えば遠隔局１０２（図２参照）のような遠隔局が、システムを捕捉する。遠隔局１０２は、４０４において、システムに登録し、４０６において、コール／セッションを確立する。遠隔局１０２は、４０６において、アップリンクチャネルでパケットデータを送信し、４１０において、ダウンリンク専用物理チャネルを有する第１のフレームを受信する。第１のフレームは、共通制御物理チャネルに基づいた基準タイミングに対する第１の時間オフセットと第１の伝搬遅延とによって定義される。４１２において、遠隔局１０２は、基地局によって受信されたパケットデータに応答するダウンリンク専用制御チャネルを有する第２のフレームを受信する。第２のフレームの開始は、基準タイミングからの第２の時間オフセットと第２の伝搬遅延とによって定義される。第２の時間オフセットは、第１の時間オフセットの関数である。
【００２７】
図５には、本発明の１つの実施形態に従って、無線通信システム用の装置を操作する方法又は処理５００のフロー図が示されている。ここでは、処理５００は、例えば送信機３００及び受信機３０４のような装置１０４の他のコンポーネントと協働する制御プロセッサ３０２（図３参照）によって実施される。装置１０４は、５０２において、例えば遠隔局１０２（図２参照）のような遠隔局から、アップリンクチャネルでパケットデータを受信する。そして装置１０４は、５０４において、ダウンリンク専用物理チャネルを有する第１のフレームを生成する。第１のフレームは、共通制御物理チャネルに基づく基準タイミングに対する第１の時間オフセットによって定義される。５０６において、装置１０４は、受信されたパケットデータに応答するダウンリンク専用制御チャネルを有する第２のフレームを生成する。第２のフレームの開始は、基準タイミングからの第２の時間オフセットによって定義される。第２の時間オフセットは、第１の時間オフセットの関数である。５０８では、フレーム６０６の開始が、基準タイミング６０８を確立する（図６参照）フレーム６０６で共通制御物理チャネルを送信した後、装置１０４は、例えば図２に示す遠隔局１０２のような遠隔局へ、第１及び第２のフレームを連続して送信する。
【００２８】
図６に示すように、図示する具体的なチャネルに対するダウンリンク物理チャネルとアップリンク物理チャネルとの典型的な相対タイミングが、例えば遠隔局１０２のような遠隔局又はＵＥ、及び例えば装置１０４のような無線通信装置に関して説明される。その場合には、図６に示すように、装置１０４の一例は、ＢＳ又は基地局である。遠隔局１０２は、パケットデータ６００をアップリンクチャネルで基地局へ送信する。基地局はそれをパケットデータ６０２として受信し、受信したパケットデータを、適切なＢＳ処理時間６０４内で処理する。その後、基地局は、フレーム６０６内で共通制御物理チャネルを送信する。このチャネルの開始は、他の遠隔局と同様に遠隔局へ追加チャネルを送信する基準タイミング６０８を確立する。
【００２９】
図６に引き続き示すように、そのような追加チャネルは、フレーム６１８内のＤＰＣＨ（Dedicated Physical Channel）チャネルである。これは、図６に示す実施形態では、ゼロチップからなる第１の時間オフセット６２０を持つ。これによって、フレーム６１８は、Ｐ−ＣＣＰＣＨチャネルを有するフレーム６０６の開始に時間が揃えられる。ＤＰＣＨチャネルを有する第１のフレーム６２４は、第１の伝播遅延６２３の後に、遠隔局１０２によって受信される。基地局によって遠隔局１０２へ送信される第２の追加チャネルは、例えばＥ−ＨＩＣＨのようなフレーム６１２内ダウンリンク専用制御チャネルであり、その開始は、第２の時間オフセット６１０によって定義される。図６に示すように、フレーム６１２の送信は、フレームが、ＢＳ＿ｐｒｏｃ時間６０４及びＵＥ＿ｐｒｏｃ時間６１６とオーバラップしない。そのようなＥ−ＨＩＣＨチャネルでは、ＡＣＫ又はＮＡＫ信号が、遠隔局１０２に送信され、受信されたパケットデータが正しく復号されたか（ＡＣＫ）、あるいは受信されたパケットデータが正しく復号されなかったか（ＮＡＫ）を示す。遠隔局１０２は、第２の伝搬遅延６１３後、第２のフレーム６１４においてダウンリンク専用制御チャネルを受信し、この情報を、適切なＵＥ処理時間６１６内で処理する。ＮＡＫ信号が遠隔局１０２によって受信された場合、パケットデータの再送信が遠隔局１０２によって試みられるかもしれない。第２の時間オフセットによってそれぞれ定義される追加フレーム６２２（点線で示す）における追加ＤＰＣＨチャネルは、基地局によってサービス提供される各遠隔局へそれぞれ送信される。１つの実施形態では、ＤＰＣＨチャネルは、ＤＰＤＣＨチャネル（専用物理データチャンネル）でありうる。
【００３０】
引き続き図６に示すように、１つの実施形態では、第２の時間オフセット６１０が、（式１）
【数７】
2008529320.tif 000003
【００３１】
によって定義される。ここでｋは変数であり、Ｔｅｃ及びτｅｃ０は共に定数である。一般に、変数ｋは、ネットワークによって設定され、２５６チップからなるステップにおいて一般に０〜１０ミリ秒の範囲にあるτｄｐｃｈの関数である。遠隔局において最小処理時間が利用可能であることを保証するために、Ｅ−ＤＣＨ（エンハンスト専用チャンネル）あるいはＥ−ＤＰＤＣＨ（Ｅ−ＤＣＨ専用物理データチャンネル）に関係するＤＬ（ダウンリンク）専用物量管理チャネルの送信時間は、ラジオフレーム境界の開始が、対応するラジオフレーム境界のＰ−ＣＣＰＣＨ開始よりもτｅｃチップ後に生じるようになる。τｅｃ又は第２の時間オフセットは、各チャネルとＴＴＩ（送信時間間隔）との組み合わせについて表１に示すように定義されたτｅｃ０及びｋ、並びにＴｅｃ＝３０を用いて、上述したようにして計算される。ｋが複数の値をとることが出来る場合、１つの実施形態では、ｋは、
【数８】
2008529320.tif 000004
【００３２】
のようにして計算される。ここでＴＴＩｄｐｃｈは、ＤＰＣＨチャネルの送信間隔であり、ＴＴＩｅ−ｈｉｃｈは、Ｅ−ＨＩＣＨチャネルの送信間隔であり、Ｔ０＿ｍｉｎは、定数であり、ＵＥｐｒｏｃ＿ｒｅｑは、所定のＵＥ又は遠隔局のために必要な処理時間である。適切には、ＴＴＩｄｐｃｈの値は、１０ミリ秒であり、ＴＴＩｅ−ｈｉｃｈの値は、２ミリ秒あるいは１０ミリ秒であり、Ｔ０＿ｍｉｎの値は、８７６チップであり、ＵＥｐｒｏｃ＿ｒｅｑの値は３．５ミリ秒でありうる。Ｅ−ＨＩＣＨ  ＴＴＩ、ＴＯ＿ｍｉｎ、及びＵＥ処理時間要求に関してτｅｃｏについて選択された具体的な値を用いて、ｋの計算は、単に
【数９】
2008529320.tif 000005
【００３３】
となる。
【表１】
2008529320.tif 000006
【００３４】
上述したようにタイミングを設定することは、Ｐ−ＣＣＰＣＨシステムフレーム番号（ＳＦＮ）及び専用ダウンリンク制御チャネル（Ｅ−ＨＩＣＨ及びＥ−ＲＧＣＨ）ラジオフレーム境界と、アップリンクＥ−ＤＰＤＣＨラジオフレーム境界との１対１の明確な関係を保証する。Ｅ−ＤＣＨ  ＴＴＩが２ミリ秒に設定される場合、サブフレーム間の関係は簡単である。なぜなら、各ラジオフレームは、それぞれ例えば２ミリ秒のような適切な持続時間を持つ５つのサブフレームに分割されるからである。これはまた、以下のように、ＨＡＲＱ（Hybrid Automatic Repeat Request）関係を単純にする。１０ミリ秒のＴＴＩ  Ｅ−ＤＣＨ動作の場合、ＵＥは、
【数１０】
2008529320.tif 000007
【００３５】
のＤＬラジオフレームに対応するＵＬ（アップリンク）ラジオフレームで送信されたデータに、（接続フレーム数）ＣＦＮ＝ｎのラジオフレームで受信されたＨＡＲＱ  ＡＣＫ/ＮＡＫ情報を関連付ける。ここでＮは、ＨＡＲＱ処理の回数である。２ミリ秒のＴＴＩ  Ｅ―ＤＣＨ動作の場合、ＵＥは、
【数１１】
2008529320.tif 000008
【００３６】
のＤＬラジオフレームのＤＬサブフレーム
【数１２】
2008529320.tif 000009
【００３７】
に対応するＵＬサブフレームで送信されたデータに、ＣＦＮ＝ｎのラジオフレームのサブフレーム数で受信されたＨＡＲＱ  ＡＣＫ/ＮＡＫ情報を関連付ける。ここでＮは、ＨＡＲＱ処理の回数である。図６では、「Ｎ＊ＴＴＩ」表記におけるＮとＴＴＩとは、それぞれ、ＨＡＲＱ処理の回数と、Ｅ−ＤＰＤＣＨチャネルの送信間隔とを示す。
【００３８】
本発明の別の局面では、計算機によって実行されると、前記計算機に動作を実行させる命令を含む計算機読取可能媒体が開示される。この動作は、パケットデータをアップリンクチャネルで送信することと、ダウンリンク専用物理チャネルを有する第１のフレームを受信することと、基地局によって受信されたパケットデータに応答するダウンリンク専用制御チャネルを有する第２のフレームを受信する手段とを備える。ここで、第１のフレームは、共通制御物理チャネルに基づく基準タイミングに対する第１の時間オフセットと、第１の伝搬遅延とによって定義される。第２のフレームの開始は、基準タイミングからの第２の時間オフセットと、第２の伝搬遅延とによって定義される。第２の時間オフセットは、第１の時間オフセットの関数である。
【００３９】
１つの実施形態では、計算機読取可能媒体は、ＣＤ−ＲＯＭのようなディスクベースの媒体でありうる。１つの実施形態では、この命令は、遠隔局内で実行されうる。
【００４０】
本発明の別の局面では、無線通信システム用の装置が示される。この装置は、遠隔局からアップリンクチャネルでパケットデータを受信する手段を含む。これは、例えば図３に示すような受信機３０４を適切に含みうる。この装置は更に、ダウンリンク専用物理チャネルを有する第１のフレームを生成する手段と、受信したパケットデータに応答するダウンリンク専用制御チャネルを有する第２のフレームを生成する手段とを含む。ここで、第１のフレームは、共通制御物理チャネルに基づく基準タイミングに対する第１の時間オフセットによって定義される。第２のフレームの開始は、基準タイミングからの第２の時間オフセットによって定義される。第２の時間オフセットは、第１の時間オフセットの関数である。第１のフレームと第２のフレームとを生成するためのそのような手段は、例えば図３に示すような制御プロセッサ３０２を適切に含みうる。
【００４１】
本発明の更に別の局面では、無線通信用の遠隔局が開示される。この遠隔局は、アップリンクチャネルでパケットデータを送信する手段を含んでいる。これは、例えば図２に示すような送信機２００を適切に含みうる。この遠隔局は更に、ダウンリンク専用物理チャネルを有する第１のフレームを受信する手段と、基地局によって受信されたパケットデータに応答するダウンリンク専用制御チャネルを有する第２のフレームを受信する手段とを備える。ここで、第１のフレームは、共通制御物理チャネルに基づく基準タイミングに対する第１の時間オフセットと、第１の伝搬遅延とによって定義される。第２のフレームの開始は、基準タイミングからの第２の時間オフセットと、第２の伝搬遅延とによって定義される。第２の時間オフセットは、第１の時間オフセットの関数である。第１のフレーム及び第２のフレームを受信するそのような手段は、例えば図２に示すような受信機２０４を適切に含みうる。
【００４２】
本発明の更に別の局面では、計算機によって実行されると、前記計算機に動作を実行させる命令を含む計算機読取可能媒体が開示される。この動作は、遠隔局からアップリンクチャネルでパケットデータを受信することと、ダウンリンク専用物理チャネルを有する第１のフレームを生成することと、受信したパケットデータに応答するダウンリンク専用制御チャネルを有する第２のフレームを生成することとを含む。ここで、第１のフレームは、共通制御物理チャネルに基づく基準タイミングに対する第１の時間オフセットによって定義される。第２のフレームの開始は、基準タイミングからの第２の時間オフセットによって定義される。第２の時間オフセットは、第１の時間オフセットの関数である。１つの実施形態では、この計算機読取可能媒体は、例えばＣＤ−ＲＯＭのようなディスクベースの媒体でありうる。１つの実施形態では、この命令は、基地局あるいは基地局コントローラ内で実行されうる。
【００４３】
当該技術における熟練者であれば、これら情報および信号が、種々異なった技術や技法を用いて表されることを理解するであろう。例えば、上述した記載の全体で引用されているデータ、指示、命令、情報、信号、ビット、シンボル、およびチップは、電圧、電流、電磁波、磁場または磁性粒子、光学場または光学微粒子、あるいはこれら何れかの組み合わせによって表現されうる。
【００４４】
これら熟練者であれば、更に、ここで開示された実施形態に関連して記載された様々な説明的論理ブロック、モジュール、回路、およびアルゴリズムステップが、電子工学ハードウェア、コンピュータソフトウェア、あるいはこれらの組み合わせとして実現されることを理解するであろう。ハードウェアとソフトウェアとの相互互換性を明確に説明するために、様々に例示された部品、ブロック、モジュール、回路、およびステップが、それらの機能に関して一般的に記述された。それら機能がハードウェアとして又はソフトウェアとして実現されているかは、特定のアプリケーション及びシステム全体に課せられている設計制約に依存する。熟練した技術者であれば、各特定のアプリケーションに応じて変更した方法で上述した機能を実施しうる。しかしながら、この適用判断は、本発明の範囲から逸脱したものと解釈されるべきではない。
【００４５】
ここで開示された実施形態に関連して記述された様々の説明的論理ブロック、モジュール、および回路は、汎用プロセッサ、デジタル信号プロセッサ（ＤＳＰ）、アプリケーションに固有の集積回路（ＡＳＩＣ）、フィールドプログラマブルゲートアレイ（ＦＰＧＡ）あるいはその他のプログラマブル論理デバイス、ディスクリートゲートあるいはトランジスタロジック、ディスクリートハードウェア部品、又は上述された機能を実現するために設計された上記何れかの組み合わせを用いて実現又は実行されうる。汎用プロセッサとしてマイクロプロセッサを用いることが可能であるが、代わりに、従来技術によるプロセッサ、コントローラ、マイクロコントローラ、あるいは状態機器を用いることも可能である。プロセッサは、たとえばＤＳＰとマイクロプロセッサとの組み合わせ、複数のマイクロプロセッサ、ＤＳＰコアに接続された１つ以上のマイクロプロセッサ、またはこのような任意の構成である計算デバイスの組み合わせとして実現することも可能である。
【００４６】
ここで開示された実施形態に関連して記述された方法やアルゴリズムのステップは、ハードウェアや、プロセッサによって実行されるソフトウェアモジュールや、これらの組み合わせによって直接的に具現化される。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、あるいは当該技術分野で知られているその他の型式の記憶媒体に収納されうる。典型的な記憶媒体は、プロセッサがそこから情報を読み取り、またそこに情報を書き込むことができるようにプロセッサに結合される。または、記憶媒体はプロセッサに統合されうる。このプロセッサと記憶媒体は、ＡＳＩＣ内に存在することができる。ＡＳＩＣは、ユーザ端末内に存在することもできる。あるいはこのプロセッサと記憶媒体は、ユーザ端末内のディスクリート部品として存在しうる。
【００４７】
開示された実施形態における上述の記載は、当該技術分野におけるいかなる人であっても、本発明の活用または利用を可能とするように提供される。これらの実施形態への様々な変形例もまた、当該技術分野における熟練者に対しては明らかであって、ここで定義された一般的な原理は、本発明の主旨または範囲を逸脱せずに他の実施形態にも適用されうる。このように、本発明は、ここで示された実施形態に制限されるものではなく、ここで記載された原理と新規の特徴に一致した最も広い範囲に相当するものを意図している。
【図面の簡単な説明】
【００４８】
【図１】図１は、無線通信システムの一例である。
【図２】図２は、本発明の実施形態に従った遠隔局のブロック図である。
【図３】図３は、本発明の実施形態に従った基地局のブロック図である。
【図４】図４は、本発明の実施形態に従った遠隔局によって実行されうる処理のフロー図である。
【図５】図５は、本発明の実施形態に従った基地局によって実行されうる処理のフロー図である。
【図６】図６は、本発明の実施形態に従ったダウンリンク物理チャネル及びアップリンク物理チャネルの典型的な相対タイミングの図である。
【図１】
2008529320.tif 000016
【図２】
2008529320.tif 000017
【図３】
2008529320.tif 000018
【図４】
2008529320.tif 000019
【図５】
2008529320.tif 000020
【図６】
2008529320.tif 000021
【国際調査報告】
2008529320.tif 000022
2008529320.tif 000023
2008529320.tif 000024